(57)【特許請求の範囲】
【請求項１】
水平部（１ａ）及び折れ曲がり部（１ｂ）からなり、水平部（１ａ）の裏面に折れ曲がり部（１ｂ）に向かって水平部（１ａ）の厚みが厚くなる方向のテ−パ−部（１Ｔ）を設けた断面略逆Ｌ字型の付け框本体（１）と、該、付け框本体（１）のテ−パ−部（１Ｔ）に沿って移動可能とし、その上面には前記テ−パ−部（１Ｔ）と略等しい傾斜角度を有するテ−パ−部（２Ｔ）が設けられた断面略三角形型のスペ−サ−（２）とからなる付け框。
【請求項２】
スペ−サ−（２）にスペ−サ−（２）の傾斜方向に、該、スペ−サ−（２）の厚みを貫通する長穴（２Ｎ）を設けたことを特徴とする請求項１に記載の付け框。
【請求項３】
付け框本体（１）の水平部（１ａ）裏面のテ−パ−部（１Ｔ）と前記、スペ−サ−（２）の上面のテ−パ−部（２Ｔ）を当接させ、前記、スペ−サ−（２）を付け框本体（１）の水平部（１ａ）裏面の傾斜方向に沿って、適宜寸法だけ移動させ、前記、付け框本体（１）の水平部（１ａ）表面と前記、スペ−サ−（２）底面との距離（Ｌ）を調整することによって、床板（３）表面と付け框本体（１）の水平部（１ａ）表面との段差（ｄ）を調整することを特徴とする請求項１、２に記載の付け框と床板との段差調整方法。
【請求項４】
スペ−サ−（２）に設けた長穴（２Ｎ）を利用して、スペ−サ−（２）を付け框本体（１）の水平部（１ａ）裏面に係止手段（２Ｍ）を用いて仮止めし、この状態で前記、段差（ｄ）を確認し、該、段差の大きさから、スペ−サ−（２）の付け框本体（１）の水平部（１ａ）裏面の傾斜方向への水平移動距離（Ｓ）を割り出して、スペ−サ−（２）を付け框本体（１）の水平部（１ａ）裏面の傾斜方向に沿って適宜寸法だけ移動させることによって、前記、付け框本体（１）の水平部（１ａ）の表面とスペ−サ−（２）の底面との距離（Ｌ）を調整することによって、床板（３）表面と付け框本体（１）の水平部（１ａ）表面との段差（ｄ）を調整することを特徴とする請求項１〜３に記載の付け框と床板との段差調整方法。
【発明の詳細な説明】
【０００１】
【発明の属する技術分野】
本発明は住宅の上がり框に関する発明で詳しくはリフォ−ムの際に使用される付け框であって、付け框と床板との段差を簡単に精度良く調整可能な付け框に関するものである。
【０００２】
【従来の技術】
従来、住宅をリフォ−ムする際、古い上がり框の上に断面略逆Ｌ字型の付け框を被せ、古い床板の上にはリフォ−ム用の新しい床板を張り上げることが行われているが、この際、リフォ−ム用の新しい床板と付け框との接続箇所において、ややもすれば、床板の厚み方向に段差が生じる危険があった。そのために、従来は付け框又は床板の裏面に薄物合板の端材、木屑などを挟み込んで厚み方向の段差を調節していた。
【０００３】
【発明が解決しようとする課題】
玄関の古い床板（４）及び古い上がり框（５）をリフォ−ムする際、新しい床板（３）を古い床板（４）上に張り上げ、新しい付け框本体（１）を古い上がり框（５）に被せるようにして施工されることが多い。この際、床板（３）と付け框本体（１）とにおいて、ややもすると、前記、段差（ｄ）が発生し易かった。床板（３）と上がり框本体（１）の段差（ｄ）は通常、上がり框本体（１）が若干高くなるようにするのが一般的であり、その寸法は０．１〜０．３ｍｍ程度が最も良いとされている。すなわち、床板（３）との段差（ｄ）は０．１〜０．３ｍｍ程度、付け框がわずかに高くなる位置関係となるように調整することが住む人にとって、実用上、外観上最も好ましい。
【０００４】
玄関土間（６）から床へ昇り降りする際、段差（ｄ）が０．５ｍｍを越えると、段差のあることが知覚され、およそ１〜２ｍｍを越えると違和感を感じ、段差の角に木部のササクレなどがあると怪我をしたりする恐れがある。また、上がり框が低くて床板が高い場合は、床板の木口断面が露出するので玄関土間側から見ると大変見苦しくなる。
【０００５】
上がり框がほんのわずかに高くなるように、微妙な調整をすることは大変難しく、施工業者にとって、大変手間どる調整作業であった。この調整作業は、従来は薄手合板の端材や木屑または厚紙、ダンボ−ルの切れ端などを付け框の水平部の裏面と古い上がり框との隙間又は新しい床板と古い床板との隙間に差し込んで調整していた。しかしながら、このような試行錯誤的な調整では、段差の微妙な調整作業を正確に行うことは極めて困難であり、正確に調整しようとすると調整に手間取り施工性が大きく低下した。
【０００６】
【課題を解決するための手段】
上記課題を解決するため、本発明者等は鋭意研究を重ねた結果以下に述べる発明に到達したものである。すなわち、請求項１の発明は、水平部（１ａ）及び折れ曲がり部（１ｂ）からなり、水平部（１ａ）の裏面に折れ曲がり部（１ｂ）に向かって水平部（１ａ）の厚みが厚くなる方向のテ−パ−部（１Ｔ）を設けた断面略逆Ｌ字型の付け框本体（１）と、該、付け框本体（１）のテ−パ−部（１Ｔ）に沿って移動可能とし、その上面には前記テ−パ−部（１Ｔ）と略等しい傾斜角度を有するテ−パ−部（２Ｔ）が設けられた断面略三角形型のスペ−サ−（２）とからなる付け框によって上記課題を解決したものである。
【０００７】
請求項２の発明は、スペ−サ−（２）にスペ−サ−（２）の傾斜方向に、該、スペ−サ−（２）の厚みを貫通する長穴（２Ｎ）を設けたことを特徴とする請求項１に記載の付け框によって上記課題を解決したものである。
【０００８】
請求項３の発明は、付け框本体（１）の水平部（１ａ）裏面のテ−パ−部（１Ｔ）と前記、スペ−サ−（２）の上面のテ−パ−部（２Ｔ）を当接させ、前記、スペ−サ−（２）を付け框本体（１）の水平部（１ａ）裏面の傾斜方向に沿って、適宜寸法だけ移動させ、前記、付け框本体（１）の水平部（１ａ）表面と前記、スペ−サ−（２）底面との距離（Ｌ）を調整することによって、床板（３）表面と付け框本体（１）の水平部（１ａ）表面との段差（ｄ）を調整することを特徴とする請求項１、２に記載の付け框と床板との段差調整方法によって上記課題を解決したものである。
【０００９】
請求項４の発明は、スペ−サ−（２）に設けた長穴（２Ｎ）を利用して、スペ−サ−（２）を付け框本体（１）の水平部（１ａ）裏面に係止手段（２Ｍ）を用いて仮止めし、この状態で前記、段差（ｄ）を確認し、該、段差の大きさから、スペ−サ−（２）の付け框本体（１）の水平部（１ａ）裏面の傾斜方向への水平移動距離（Ｓ）を割り出して、スペ−サ−（２）を付け框本体（１）の水平部（１ａ）裏面の傾斜方向に沿って適宜寸法だけ移動させることによって、前記、付け框本体（１）の水平部（１ａ）の表面とスペ−サ−（２）の底面との距離（Ｌ）を調整することによって、床板（３）表面と付け框本体（１）の水平部（１ａ）表面との段差（ｄ）を調整することを特徴とする請求項１〜３に記載の付け框と床板との段差調整方法によって上記課題を解決したものである。
【００１０】
従来、住宅のリフォ−ムに際して、床板と付け框の接続箇所における段差の微妙な調整は簡単にしかも正確に行う適切な方法がなく、リフォ−ム施工における大きな問題点となっていた。そこで、本発明の付け框及び付け框と床板との段差調整方法によれば、付け框本体（１）の水平部（１ａ）の裏面のテ−パ−部（１Ｔ）と、該、テ−パ−部（１Ｔ）に当接して略等しい傾斜角度を有するテ−パ−部（２Ｔ）を上面に有するスペ−サ−（２）を付け框本体（１）の水平部（１ａ）の裏面の傾斜方向に沿って適宜寸法だけ移動させれば、付け框本体（１）の水平部（１ａ）の表面の高さを微妙に調整することが可能であり、しかも極めて簡単に実施でき、本発明の付け框本体（１）とスペ−サ−（２）は床板との段差（ｄ）を調整する際に極めて便利なものである。
【００１１】
前記、付け框の水平部（１ａ）裏面のテ−パ−部（１Ｔ）及びスペ−サ−（２）上面のテ−パ−部（２Ｔ）の傾斜角度は比較的小さく設定することで、スペ−サ−（２）を前記、傾斜方向へ移動させる場合、移動距離（Ｓ）に比較して付け框本体（１）の水平部（１ａ）表面の高さ方向への移動距離（Ｐ）をかなり小さくすることが可能であり、段差（ｄ）の微妙な調整が可能となる。
【００１２】
すなわち、付け框本体（１）の水平部（１ａ）の表面とスペ−サ−（２）の底面との距離（Ｌ）を微妙に変化させることが可能である。このことによって、付け框本体（１）の見かけ上の厚みを正確に、簡単に、しかも微妙に変化させることが可能で、従って、床板（３）の表面と付け框本体（１）の水平部（１ａ）の表面との段差（ｄ）を最適値に極めて簡単に調整することが可能となる。また、前記、付け框本体（１）の水平部（１ａ）裏面のテ−パ−部（１Ｔ）の傾斜角度及び、スペ−サ−（２）上面のテ−パ−部（２Ｔ）の傾斜角度は、ほぼ等しくしておくと良い。
【００１３】
スペ−サ−（２）の前記、傾斜方向への水平移動距離を（Ｓ）とし、スペ−サ−先端の傾斜角度及び付け框本体水平部（１ａ）裏面の傾斜角度を（α）とし、付け框本体（１）表面が垂直方向に上昇又は下降する距離すなわち付け框本体（１）の水平部（１ａ）表面の高さ方向への移動距離を（Ｐ）とすると、Ｐ＝Ｓ  ｔａｎαで表すことができる。また、前記、水平部（１ａ）裏面のテ−パ−部（１Ｔ）の大きさ及び、スペ−サ−（２）上面のテ−パ−部（２Ｔ）の大きさは、Ｐ／Ｓで表すことができる。
【００１４】
付け框本体（１）と床板（３）との段差（ｄ）を調整するのに最も適するスペ−サ−（２）上面のテ−パ−の大きさは、およそ１／１００ｍｍ〜１０／１００ｍｍである。この理由はテ−パ−の大きさが１／１００ｍｍよりも小さいと、付け框本体（１）の見かけ上の厚みの変化が少なくなり、その高さ位置の調整がわずかにしかできない。前記、段差（ｄ）を調整するのにスペ−サ−（２）を大きく傾斜方向に沿って移動させても、付け框本体（１）の水平部（１ａ）表面の高さ方向への移動距離（Ｐ）が少なすぎて、前記、段差（ｄ）の調整が大変難しくなる。また、逆に、テ−パ−の大きさが１０／１００ｍｍよりも大きいと、前記、スペ−サ−（２）の水平移動距離（Ｓ）が、わずかに変化しても高さ方向の移動距離（Ｐ）が大きく変化してしまうので、前記、段差（ｄ）の調整において、スペ−サ−（２）の微妙な移動を必要とし、この点がかなり難しい。
【００１５】
このように、テ−パ−の大きさがおよそ１／１００ｍｍ〜１０／１００ｍｍの範囲であれば、スペ−サ−（２）の前記、傾斜方向への水平移動距離（Ｓ）を比較的粗雑に変化させても、前記、段差（ｄ）の微妙でしかも正確な調整が可能となる。しかも段差調整に十分に必要な程度可能となる。
【００１６】
施工現場において、床板と付け框本体の段差はゼロを目標に施工していくが、誤差がゼロということは不可能であり、実際問題として、少なくとも約０．１〜０．５ｍｍ程度の段差は発生する。しかも、この段差は０．３ｍｍ程度が許容される限度である。さらに、付け框の方が若干でも高い位置にある方が納まりとして優れているとされている。従って、例えば、テ−パ−の大きさが１／１００ｍｍの場合は、前記、床板と付け框の段差（ｄ）を０．１〜０．５ｍｍ調整するのにスペ−サ−を傾斜方向へ水平距離で１０〜５０ｍｍ移動させれば良い。
【００１７】
また、例えば、テ−パ−の大きさが１０／１００ｍｍの場合は、前記、床板と付け框の段差（ｄ）を０．１〜０．５ｍｍ調整するのにスペ−サ−を傾斜方向へ水平距離で１〜５ｍｍ移動させれば良い。このように、テ−パ−の大きさがおよそ１／１００ｍｍ〜１０／１００ｍｍの範囲であれば、前記、段差（ｄ）の微妙でしかも正確な調整が十分に可能となる。また、この範囲が調整作業にとっても作業性が良い範囲である。
【００１８】
また、本発明の付け框とスペ−サ−は住宅玄関まわりをリフォ−ムする際、古い床板や上がり框の上に新しい床板などを施工する際の段差調整に極めて有効であるが、なにもリフォ−ムに限ったものではなく、新築住宅における段差調整の際にも応用して利用できるものである。
【００１９】
また、スペ−サ−（２）に設けられた長穴（２Ｎ）を利用すると、前記、傾斜方向への移動がより簡単に精度良く、効率的に行うことができる。すなわち、長穴（２Ｎ）を利用して、係止手段（２Ｍ）で仮止めしながら微調整できるので、この長穴（２Ｎ）があると精度良くより確実にしかも簡単に効率良く調整可能となる。
【００２０】
係止手段（２Ｍ）は、例えば木ねじ等のネジ類、針釘等の釘類、木ダボ、その他金具類等を利用することができる。水平部（１ａ）裏面にスペ−サ−（２）を木ねじ等の係止手段（２Ｍ）を用いて仮止めする。この時、前記、テ−パ−部（１Ｔ）及び（２Ｔ）を互いに当接させるようにしておく。この状態で前記、段差（ｄ）をノギス等を用いて測定し、測定した段差（ｄ）の大きさから、スペ−サ−（２）の傾斜方向への水平移動距離（Ｓ）を割り出して、スペ−サ−（２）を傾斜方向に沿って適宜寸法だけ移動させる。このことによって、付け框本体（１）の水平部（１ａ）の表面と床板（３）の表面との段差（ｄ）を調整する。段差（ｄ）が適切であることを確認した後、木ねじ等の係止手段（２Ｍ）をしっかりと本固定する。
【００２１】
【発明の実施の形態】
以下、本発明の付け框について図面に従って詳細に述べる。図１は、本発明の１実施例の付け框と床板の施工状態を示す断面模式図である。図２は、本発明の１実施例で、付け框の高さ位置の変化状態を示す断面模式図である。図３は、本発明の１実施例の付け框本体の斜視図である。図４は、本発明の１実施例の付け框本体の断面図である。図５は本発明の１実施例のスペ−サ−を示す斜視図及び断面図である。
【００２２】
図中、１は付け框本体、１ａは付け框本体の水平部、１ｂは付け框本体の折れ曲がり部、１Ｔは付け框本体の水平部裏面のテ−パ−部を示す。また、２はスペ−サ−、２Ｔはスペ−サ−上面のテ−パ−部、２Ｎはスペ−サ−に設けられた長穴、２Ｍは係止手段、αはスペ−サ−上面及び付け框水平部裏面の持つ傾斜角度、３は床板、４は古い床板、５は古い上がり框、６は玄関土間を示す。また、Ｌは付け框本体水平部表面とスペ−サ−底面との距離を示す。また、ｄは床板表面と付け框本体水平部表面との段差、Ｓはスペ−サ−の傾斜方向への水平移動距離、Ｐは付け框本体水平部表面の高さ方向への移動距離を示す。
【００２３】
図１において、住宅をリフォ−ムする際、天井高さに制約が無ければ通常、古い床板や古い上がり框の上から、新しい床板や付け框を張って施工される場合が多かった。その時、図１にあるような段差（ｄ）が施工誤差として発生することが多かった。このような場合、本発明の１実施例として図１にあるような断面形状の付け框本体（１）とスペ−サ−（２）との組み合わせが有効であり、付け框本体（１）の水平部（１ａ）の裏面にテ−パ−部（１Ｔ）を持たせ、さらにスペ−サ−（２）上面にテ−パ−部（２Ｔ）を持たせることによって段差調整に有効となる。テ−パ−部（１Ｔ）及びテ−パ−部（２Ｔ）の大きさは調整し易さと調整効果を考えると、およそ１／１００ｍｍ〜１０／１００ｍｍ程度とするのが良い。
【００２４】
しかしながら、必ずしもこの範囲にないといけないということはない。この範囲の大きさがテ−パ−として最も適する範囲である。この範囲の前後に多少はみ出した大きさであっても、大きくはみ出さなければ大きな問題はない。また、スペ−サ−（２）の断面形状は１実施例として図１にあるような略三角形の形状を有し、スペ−サ−（２）の上面にテ−パ−部（２Ｔ）を有する形状が良い。この時、付け框本体（１）の水平部（１ａ）裏面のテ−パ−部（１Ｔ）の大きさとスペ−サ−（２）上面のテ−パ−部（２Ｔ）の大きさは、およそ等しくしておくと良い。また、前記、テ−パ−部（１Ｔ）およびテ−パ−部（２Ｔ）を互いに当接させて使用する。
【００２５】
付け框本体（１）の材料は従来からある木質材料を使用したものでも、また、それ以外の合成樹脂製、金属製、その他であっても良い。スペ−サ−（２）の材料も木質材料、合成樹脂製、金属製、その他の材料であっても良い。
【００２６】
図２において、スペ−サ−（２）が付け框本体（１）の水平部（１ａ）裏面の傾斜方向へ水平距離（Ｓ）だけ移動したとき、付け框本体（１）の水平部（１ａ）表面の高さ方向への移動距離（Ｐ）は、次式で示される。
【００２７】
Ｐ＝Ｓ  ｔａｎ  α    （但しαは傾斜角度を示す）
このＰの距離だけ付け框本体（１）の水平部（１ａ）表面が高さ方向へ移動するので、前記、段差（ｄ）が調整可能となるのである。
【００２８】
図３において、本発明の付け框本体（１）は断面が略逆Ｌ字型を有し、長手方向に細長い形状となっている。長さはおよそ、１〜５ｍ程度で幅寸法はおよそ６０ｍｍ〜１５０ｍｍ程度で、高さ寸法は、およそ、６０ｍｍ〜２００ｍｍ程度であるがこの範囲に限られるものではない。水平部（１ａ）の裏面にテ−パ−部（１Ｔ）が設けられている。本発明の付け框本体（１）の断面形状は１例として図４のような形状をしており、水平部（１ａ）裏面にテ−パ−部（１Ｔ）を有する。この部分の傾斜角度をαとする。
【００２９】
図５において、本発明のスペ−サ−（２）は１例として図のような略三角形の断面形状を有しており、その上面にテ−パ−部（２Ｔ）が設けられている。スペ−サ−（２）の先端は図のように尖っていても良いし、丸まっていても良い。スペ−サ−（２）の形状はその上面に所定の大きさのテ−パ−部（２Ｔ）があれば良く、三角形以外の形状であっても、勿論良い。また、三角形のなかでも、直角三角形とすれば、スペ−サ−（２）の垂直方向の端部がまっすぐになるので、スペ−サ−（２）の移動距離を微調整する際、作業性が良くなる。しかしながら、このことに限定されるものではない。
【００３０】
さらに、テ−パ−部（２Ｔ）に沿って長穴（２Ｎ）が設けられている。この長穴（２Ｎ）は段差調整機能にとって必須ではないが、有った方が施工時において段差調整が大変し易くなる。この長穴（２Ｎ）は貫通している。大きさは適当で良い。施工時、係止手段（２Ｍ）、例えば、木ねじ等を用いて、付け框本体（１）の水平部（１ａ）裏面に、長穴（２Ｎ）を介してスペ−サ−（２）をあらかじめ、およその位置へ取り付けて仮止めしておくと良い。この時、それぞれのテ−パ−部（１Ｔ）と（２Ｔ）を互いに当接させておくと良い。
【００３１】
次に、この状態で、本発明の付け框を古い上がり框の上に被せるようにして設置する。この状態で段差（ｄ）をノギス等で実測し、テ−パ−部の傾斜角度（α）と段差（ｄ）の実測値から付け框本体（１）の水平部（１ａ）表面の高さ方向への移動距離（Ｐ）を割り出す。この移動距離（Ｐ）から、次式によって、スペ−サ−の必要とする傾斜方向への水平移動距離（Ｓ）が算出できる。Ｐ＝Ｓ  ｔａｎα（但しαは傾斜角度を示す）となり、この式から  Ｓ＝Ｐ／ｔａｎ  αとなる。
【００３２】
次に前記、スペ−サ−（２）の取り付け木ねじを少しゆるめて、水平距離Ｓだけスペ−サ−（２）を付け框傾斜方向へ移動させてやる。この状態で段差（ｄ）が適切であることを確認した後、最後にスペ−サ−（２）の木ねじをしっかりと締め付け本固定する。最後に、付け框本体（１）を古い上がり框の上に被せるようにして取り付け施工し、段差（ｄ）が最適値になったことを再確認して付け框本体（１）を本固定し施工を完了する。
【００３３】
【発明の効果】
テ−パ−部の大きさが適度に設定された断面略三角形型のスペ−サ−を断面略逆Ｌ字型の付け框本体水平部裏面に取り付け、前記、スペ−サ−をテ−パ−部傾斜方向へ適宜寸法だけ移動させれば、床板と付け框の段差の微妙な調整が極めて簡単に、しかも精度良く、効率良く行うことができる。さらに、前記、スペ−サ−に長穴を設ければ、調整作業がより一段と簡単に、しかも精度良く行うことができる。
【図面の簡単な説明】
【図１】本発明の１実施例で、付け框と床板の施工状態を示す断面模式図。
【図２】同、付け框の高さ位置の変化状態を示す断面模式図。
【図３】同、付け框本体の斜視図。
【図４】同、付け框本体の断面図。
【図５】同、スペ−サ−の斜視図及び断面図。
【符号の説明】
１    付け框本体。
１ａ  付け框本体の水平部。
１ｂ  付け框本体の折れ曲がり部。
１Ｔ  付け框本体の水平部裏面のテ−パ−部。
２    スペ−サ−
２Ｔ  スペ−サ−上面のテ−パ−部。
２Ｎ  長穴
２Ｍ  係止手段
α    傾斜角度
３    床板
４    古い床板
５    古い上がり框。
６    玄関土間
Ｌ    付け框本体の水平部表面とスペ−サ−底面との距離。
ｄ    段差
Ｓ    スペ−サ−の傾斜方向の水平移動距離。
Ｐ    付け框本体水平部表面の高さ方向への移動距離。
【図１】
0003608478.tif 000002
【図２】
0003608478.tif 000003
【図３】
0003608478.tif 000004
【図４】
0003608478.tif 000005
【図５】
0003608478.tif 000006